(57)【要約】【課題】  有害鳥獣類を確実に撃退することができると共に、有害鳥獣類を二度とその場所に近づけなくすることができる有害鳥獣類の撃退方法及び装置の提供。【解決手段】  割れた際の風圧で周囲に飛散する粉体２が収容された状態で膨らまされると共に外部には有害鳥獣類が好む餌３が取り付けられた風船１を、有害鳥獣類による被害を防止したい場所に配置させることにより、有害鳥獣類が餌３を奪おうとして風船１に爪を立て、又は餌３をつつき、若しくは餌３を引っ張る際に風船１が割れ、破裂音と共に内部に収容された粉体２が周囲に飛散して有害鳥獣類に降りかかるため、有害鳥獣類を確実に撃退することができると共に、有害鳥獣類を二度とその場所に近づけなくすることができるようになる。【選択図】      図１
2006320248.tif 000002
【特許請求の範囲】
【請求項１】
割れた際の風圧で周囲に飛散する粉体が収容された状態で膨らまされると共に外部には有害鳥獣類が好む餌が取り付けられた風船を、有害鳥獣類による被害を防止したい場所に配置させるようにしたことを特徴とする有害鳥獣類の撃退方法。
【請求項２】
割れた際の風圧で周囲に飛散する粉体が収容された状態で膨らまされると共に内部には有害鳥獣類が好む餌が収容された透明な風船を、有害鳥獣類による被害を防止したい場所に配置させるようにしたことを特徴とする有害鳥獣類の撃退方法。
【請求項３】
膨らませた風船内に該風船が割れた際の風圧で周囲に飛散する粉体が収容され、
前記風船の外側には有害鳥獣類が好む餌が取り付けられていることを特徴とする有害鳥獣類の撃退装置。
【請求項４】
膨らませた透明な風船内に該風船が割れた際の風圧で周囲飛散する粉体と見た目で有害鳥獣類が好む餌が収容されていることを特徴とする有害鳥獣類の撃退装置。
【請求項５】
前記風船の内側には油が付着されていることを特徴とする請求項１に記載の有害鳥獣類の撃退方法又は請求項３に記載の有害鳥獣類の撃退装置。
【請求項６】
前記風船の外側には、有害鳥獣類が好む餌の臭いを発する臭い放出剤が備えられていることを特徴とする請求項２に記載の有害鳥獣類の撃退方法又は請求項４に記載の有害鳥獣類の撃退装置。
【請求項７】
前記風船の外面には、有害鳥獣類が接触することで前記風船を割る突起が備えられていることを特徴とする請求項１、２、５、６のいずれか１項に記載の有害鳥獣類の撃退方法又は請求項２、３、５、６のいずれか１項に記載の有害鳥獣類の撃退装置。
【請求項８】
前記粉体にはコショウ等の刺激を有する粉体が含まれていることを特徴とする請求項１、２、５〜７のいずれか１項に記載の有害鳥獣類の撃退方法又は請求項２、３、５〜７のいずれか１項に記載の有害鳥獣類の撃退装置。
【請求項９】
前記粉体には有害鳥獣類が嫌う異臭を発する異臭物が含まれていることを特徴とする請求項１、２、５〜７のいずれか１項に記載の有害鳥獣類の撃退方法又は請求項２、３、５〜７のいずれか１項に記載の有害鳥獣類の撃退装置。
【請求項１０】
前記粉体が赤や黄色等の目立つ色に着色され又は前記粉体に着色剤が混入されていることを特徴とする請求項１、２、５〜９のいずれか１項に記載の有害鳥獣類の撃退方法又は請求項２、３、５〜９のいずれか１項に記載の有害鳥獣類の撃退装置。
【発明の詳細な説明】
【技術分野】
【０００１】
本発明は、カラス、ヒヨドリ、猿、イノシシ等の有害鳥獣類の撃退方法及び装置に関する。
【背景技術】
【０００２】
従来、この種の有害鳥獣類の撃退方法又は装置としては、目玉模様を表示したビニール製風船をぶら下げるようにしたものや、鳴き声を録音した音を発生させるようにしたもの等が知られている（例えば、特許文献１参照。）。
【０００３】
【特許文献１】特開平成０４−６３５３６号公報
【発明の開示】
【発明が解決しようとする課題】
【０００４】
しかしながら、従来例の有害鳥獣類の撃退装置にあっては、いずれの場合も、一時的に効果はあるが、それらの刺激にすぐなれて、効果がなくなるという問題があった。
【０００５】
本発明の解決しようとする課題は、有害鳥獣類を確実に撃退することができると共に、有害鳥獣類を二度とその場所に近づけなくすることができる有害鳥獣類の撃退方法及び装置を提供することにある。
【課題を解決するための手段】
【０００６】
上記課題を解決するため請求項１記載の有害鳥獣類の撃退方法は、割れた際の風圧で周囲に飛散する粉体が収容された状態で膨らまされると共に外部には有害鳥獣類が好む餌が取り付けられた風船を、有害鳥獣類による被害を防止したい場所に配置させるようにしたことを特徴とる手段とした。
【０００７】
請求項２記載の有害鳥獣類の撃退方法は、割れた際の風圧で周囲に飛散する粉体が収容された状態で膨らまされると共に内部には有害鳥獣類が好む餌が収容された透明な風船を、有害鳥獣類による被害を防止したい場所に配置させるようにしたことを特徴とする手段とした。
【０００８】
請求項３記載の有害鳥獣類の撃退装置は、膨らませた風船内に該風船が割れた際の風圧で周囲に飛散する粉体が収容され、前記風船の外側には有害鳥獣類が好む餌が取り付けられていることを特徴とする手段とした。
【０００９】
請求項４記載の有害鳥獣類の撃退装置は、膨らませた透明な風船内に該風船が割れた際の風圧で周囲飛散する粉体と見た目で有害鳥獣類が好む餌が収容されていることを特徴とする手段とした。
【００１０】
請求項５記載の有害鳥獣類の撃退装置は、請求項１に記載の有害鳥獣類の撃退方法又は請求項３に記載の有害鳥獣類の撃退装置において、前記風船の内側には油が付着されていることを特徴とする手段とした。
【００１１】
請求項６記載の有害鳥獣類の撃退装置は、請求項２に記載の有害鳥獣類の撃退方法又は請求項４に記載の有害鳥獣類の撃退装置において、前記風船の外側には、有害鳥獣類が好む餌の臭いを発する臭い放出剤が備えられていることを特徴とする手段とした。
【００１２】
請求項７記載の有害鳥獣類の撃退装置は、請求項１、２、５、６のいずれか１項に記載の有害鳥獣類の撃退方法又は請求項２、３、５、６のいずれか１項に記載の有害鳥獣類の撃退装置において、前記風船の外面には、有害鳥獣類が接触することで前記風船を割る突起が備えられていることを特徴とする手段とした。
【００１３】
請求項８記載の有害鳥獣類の撃退装置は、請求項１、２、５〜７のいずれか１項に記載の有害鳥獣類の撃退方法又は請求項２、３、５〜７のいずれか１項に記載の有害鳥獣類の撃退装置において、前記粉体にはコショウ等の刺激を有する粉体が含まれていることを特徴とする手段とした。
【００１４】
請求項９記載の有害鳥獣類の撃退装置は、請求項１、２、５〜７のいずれか１項に記載の有害鳥獣類の撃退方法又は請求項２、３、５〜７のいずれか１項に記載の有害鳥獣類の撃退装置において、前記粉体には有害鳥獣類が嫌う異臭を発する異臭物が含まれていることを特徴とする手段とした。
【００１５】
請求項１０記載の有害鳥獣類の撃退装置は、請求項１、２、５〜９のいずれか１項に記載の有害鳥獣類の撃退方法又は請求項２、３、５〜９のいずれか１項に記載の有害鳥獣類の撃退装置において、前記粉体が赤や黄色等の目立つ色に着色され又は前記粉体に着色剤が混入されていることを特徴とする手段とした。
【発明の効果】
【００１６】
請求項１記載の有害鳥獣類の撃退装方法では、上述のように、割れた際の風圧で周囲に飛散する粉体が収容された状態で膨らまされると共に外部には有害鳥獣類が好む餌が取り付けられた風船を、有害鳥獣類による被害を防止したい場所に配置させるようにすることで、有害鳥獣類が餌を奪おうとして風船に爪を立て、又は餌をつつき、若しくは餌を引っ張る際に風船が割れ、破裂音と共に内部に収容された粉体が周囲に飛散して有害鳥獣類に降りかかるため、有害鳥獣類を確実に撃退することができると共に、有害鳥獣類を二度とその場所に近づけなくすることができるようになるという効果が得られる。
【００１７】
請求項２記載の有害鳥獣類の撃退方法では、上述のように、割れた際の風圧で周囲に飛散する粉体が収容された状態で膨らまされると共に内部には有害鳥獣類が好む餌が収容された透明な風船を、有害鳥獣類による被害を防止したい場所に配置させるようにしたことで、前記請求項１と同様に、有害鳥獣類を確実に撃退することができると共に、有害鳥獣類を二度とその場所に近づけなくすることができるようになる。
【００１８】
請求項３記載の有害鳥獣類の撃退装置では、上述のように、膨らませた風船内に該風船が割れた際の風圧で周囲に飛散する粉体が収容され、前記風船の外側には有害鳥獣類が好む餌が取り付けられている構成としたことで、有害鳥獣類による被害を防止したい場所にこれを配置させておくと、有害鳥獣類が餌を奪おうとして風船に爪を立て、又は餌をつつき、若しくは餌を引っ張る際に風船が割れ、破裂音と共に内部に収容された粉体が周囲に飛散して有害鳥獣類に降りかかるため、有害鳥獣類を確実に撃退することができると共に、有害鳥獣類を二度とその場所に近づけなくすることができるようになるという効果が得られる。
【００１９】
請求項４記載の有害鳥獣類の撃退装置では、上述のように、膨らませた透明な風船内に該風船が割れた際の風圧で周囲飛散する粉体と見た目で有害鳥獣類が好む餌が収容されている構成としたことで、前記請求項３と同様に、有害鳥獣類を確実に撃退することができると共に、有害鳥獣類を二度とその場所に近づけなくすることができるようになる。
【００２０】
請求項５記載の有害鳥獣類の撃退装置では、上述のように、前記風船の内側には油が付着されている構成とすることにより、風船の内面が油で被覆された状態に成ると共に、内部に収容された粉体の一部がこの油に付着することで、風船内の空気の漏れが抑制され、これにより、膨らんだ状態を長期に亘って維持させることができるようになる。
【００２１】
請求項６記載の有害鳥獣類の撃退装置では、上述のように、前記風船の外側には、有害鳥獣類が好む餌の臭いを発する臭い放出剤が備えられることにより、有害鳥獣類の注意を風船に向けることができるようになる。
【００２２】
請求項７記載の有害鳥獣類の撃退装置では、上述のように、前記風船の外面には、有害鳥獣類が接触することで前記風船を割る突起が備えられることにより、風船を確実に割ることができるようになる。
【００２３】
請求項８記載の有害鳥獣類の撃退装置では、上述のように、前記粉体にはコショウ等の刺激を有する粉体が含まれることにより、撃退効果をより高めることができるようになる。
【００２４】
請求項９記載の有害鳥獣類の撃退装置では、上述のように、前記粉体には有害鳥獣類が嫌う異臭を発する異臭物が含まれることにより、撃退効果をより高めることができるようになる。
【００２５】
請求項１０記載の有害鳥獣類の撃退装置では、上述のように、前記粉体が赤や黄色等の目立つ色に着色され又は前記粉体に着色剤が混入されることにより、この撃退装置の効き目を確認することができるようになる。
【発明を実施するための最良の形態】
【００２６】
以下にこの発明の実施例を図面に基づいて説明する。
【実施例１】
【００２７】
まず、この実施例１の有害鳥獣類の撃退装置を図面に基づいて説明する。
図１はこの実施例１の有害鳥獣類の撃退装置を示す使用状態の一部切欠斜視図、図２は図１のＡ−Ａにおける拡大断面図である。
この有害鳥獣類の撃退装置は、風船１と、粉体２と、餌３とを備えている。
【００２８】
さらに詳述すると、前記風船１は気体を圧入することにより膨らむゴム製のものであり、この風船１内には風船１が割れた際の風圧で周囲に飛散する粉体２が収容されている。この粉体２としては、石灰粉、小麦粉等、任意の粉を用いることができる。
また、前記風船１の外側には有害鳥獣類が好む餌３が接着剤又は強力な粘着剤４で取り付けられている構造となっている。
【００２９】
この実施例１の有害鳥獣の撃退装置では上述のように構成されるため、有害鳥獣類による被害を防止したい場所にこれを配置させておくと、有害鳥獣類が餌３を奪おうとして風船１に爪を立て、又は餌３をつつき、若しくは餌３を引っ張る際に風船１が割れ、破裂音と共に内部に収容された粉体２が周囲に飛散して有害鳥獣類に降りかかるため、有害鳥獣類を確実に撃退することができると共に、有害鳥獣類を二度とその場所に近づけなくすることができるようになるという効果が得られる。
以上のことは、カラスでの実験の結果明らかとなったもので、一回の破裂のみで、長期間に亘りカラスが近づくことがなくなった。
【００３０】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００３１】
この実施例２は、実施例１における有害鳥獣類の撃退装置の変形例を示すものであり、図３（使用状態を示す一部切欠斜視図）に示すように、膨らませた透明な風船１内に、該風船１１が割れた際の風圧で周囲飛散する粉体２と、見た目で有害鳥獣類が好む餌３１が収容されている構成とした点が前記実施例１とは相違したものである。
【００３２】
この実施例２の有害鳥獣の撃退装置では上述のように構成されるため、有害鳥獣類による被害を防止したい場所にこれを配置させておくと、有害鳥獣類が透明な風船１１内に収容された餌３１を奪おうとして風船１に爪を立てたり、くちばしでつつくことで、風船１１が割れ、破裂音と共に内部に収容された粉体２が周囲に飛散して有害鳥獣類に降りかかるため、有害鳥獣類を確実に撃退することができると共に、有害鳥獣類を二度とその場所に近づけなくすることができるようになるという効果が得られる。
以上のことは、カラスでの実験の結果明らかとなったもので、一回の破裂のみで、長期間に亘りカラスが近づくことがなくなった。
【００３３】
以上本実施例を説明してきたが、本発明は上述の実施例に限られるものではなく、本発明の要旨を逸脱しない範囲の設計変更等があっても、本発明に含まれる。
例えば、実施例１において、風船１の内側には油が付着されている構成とすることにより、風船１の内面が油で被覆された状態に成ると共に、内部に収容された粉体の一部がこの油に付着することで、風船１内の空気の漏れが抑制され、これにより、膨らんだ状態を長期に亘って維持させることができるようになる。
【００３４】
また、実施例２において、風船１１の外側には、有害鳥獣類が好む餌の臭いを発する臭い放出剤が備えられることにより、有害鳥獣類の注意を風船１１に向けることができるようになる。
【００３５】
また、実施例１又は２において、風船１、１１の外面には、有害鳥獣類が接触することで風船１、１１を割る突起が備えられている構成とすることにより、風船１、１１を確実に割ることができるようになる。
また、風船１、１１の一部を足場となる部分や板材に接着剤又は粘着剤で固定しておくことにより、風船１、１１を動かしただけで風船１、１１を割ることができるようになる。また、板材に鋭利な突起を複数個配置させておくことにより、風船が割れる確率を高めることができるようになる。
【００３６】
また、実施例１又は２において、粉体２にはコショウや唐辛子等の刺激を有する粉体が含まれている構成、又はこれらの刺激粉体で構成することにより、撃退効果をより高めることができるようになる。
【００３７】
また、実施例１又は２において、粉体２には有害鳥獣類が嫌う異臭を発する異臭物が含まれることにより、撃退効果をより高めることができるようになる。
【００３８】
また、実施例１又は２において、粉体２が赤や黄色等の目立つ色に着色され又は前記粉体２に着色剤が混入されている構成とすることにより、この撃退装置の効き目を確認することができるようになる。
【００３９】
また、粉体２は、予めスティック状の袋内に収容したものを準備し、これを風船内に入れて風船１、１１の外部から両手で摘んで引っ張ることにより、風船１、１１内に収容した後、風船１、１１を膨らませるようにすれば、粉体２の収容作業を容易に行えるようになる。
また、風船の形状は任意であり、棒状であってもよい。
【図面の簡単な説明】
【００４０】
【図１】実施例１の有害鳥獣類の撃退装置を示す使用状態の一部切欠斜視図である。
【図２】図１のＡ−Ａにおける拡大断面図である。
【図３】実施例２の有害鳥獣類の撃退装置を示す使用状態の一部切欠斜視図である。
【符号の説明】
【００４１】
１  風船
２  粉体
３  餌
４  接着剤又は粘着剤
１１  透明風船
３１  餌
【図１】
2006320248.tif 000003
【図２】
2006320248.tif 000004
【図３】
2006320248.tif 000005